Podtech/llm-jp-corpus-v4-ja_patent huggingface dataset:
【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  画像情報が直交変換及び動き補償により複数のピクチャタイプの符号化画像に符号化されてなる画像圧縮情報が入力され、この画像圧縮情報を変換する画像情報変換装置において、
入力された画像圧縮情報を画像情報に復号する復号手段と、
上記復号手段で復号された画像情報を符号化する符号化手段と、
上記符号化手段における符号化の際に各ピクチャタイプの符号化画像に対する目標符号量を、各ピクチャタイプの符号化画像の内容に基づいて、各ピクチャタイプの符号化画像の内容の係数となる複数の媒介変数を適応的に用いることにより制御する制御手段と
を有することを特徴とする画像情報変換装置。
【請求項２】  上記画像圧縮情報は、画面内符号化画像、表示順序で順方向に予測符号化された順方向予測符号化画像、並びに表示順序で順方向及び逆方向に予測符号化された双方向予測符号化画像を有する画像群を単位として構成され、上記複数の媒介変数としては、上記画面内符号化画像の複雑さＸI 、上記順方向予測符号化画像の複雑さＸP 及び上記双方向予測符号化画像の複雑さＸB について、上記画面内符号化画像の内容の係数を１とすると、上記順方向予測符号化画像の内容の係数となる上記第１の媒介変数ＫP は上記順方向予測符号化画像の複雑さＸP と上記画面内符号化画像ＸI との複雑さの比率ＸP ／ＸIに基づいて定められ、上記双方向予測符号化画像の内容の係数となる上記第２の媒介変数ＫBは上記双方向予測符号化画像の複雑さＸB と上記画面内符号化画像ＸI との複雑さの比率ＸB ／ＸIに基づいて定められることを特徴とする請求項１記載の画像情報変換装置。
【請求項３】  上記第１の媒介変数ＫP 及び第２の媒介変数ＫB は、
【数１】
2001145113.tif 000001
にて与えられることを特徴とする請求項２記載の画像情報変換装置。
【請求項４】  画像情報が直交変換及び動き補償により複数のピクチャタイプの符号化画像に符号化されてなる画像圧縮情報が入力され、この画像圧縮情報を変換する画像情報変換方法において、
入力された画像圧縮情報を画像情報に復号する復号工程と、
上記復号工程で復号された画像情報を符号化する符号化工程と、
上記符号化工程における符号化の際に各ピクチャタイプの符号化画像に対する目標符号量を、各ピクチャタイプの符号化画像の内容に基づいて、各ピクチャタイプの符号化画像の内容の係数となる複数の媒介変数を適応的に用いることにより制御する制御工程と
を有することを特徴とする画像情報変換方法。
【請求項５】  上記画像圧縮情報は、画面内符号化画像、表示順序で順方向に予測符号化された順方向予測符号化画像、並びに表示順序で順方向及び逆方向に予測符号化された双方向予測符号化画像を有する画像群を単位として構成され、上記複数の媒介変数としては、上記画面内符号化画像の複雑さＸI 、上記順方向予測符号化画像の複雑さＸP 及び上記双方向予測符号化画像の複雑さＸB について、上記画面内符号化画像の内容の係数を１とすると、上記順方向予測符号化画像の内容の係数となる上記第１の媒介変数ＫP は上記順方向予測符号化画像の複雑さＸP と上記画面内符号化画像ＸI との複雑さの比率ＸP ／ＸIに基づいて定められ、上記双方向予測符号化画像の内容の係数となる上記第２の媒介変数ＫB は上記双方向予測符号化画像の複雑さＸB と上記画面内符号化画像ＸI との複雑さの比率ＸB ／ＸIに基づいて定められることを特徴とする請求項４記載の画像情報変換方法。
【手続補正書】
【提出日】平成18年10月23日(2006.10.23)
【手続補正１】
【補正対象書類名】明細書
【補正対象項目名】０００２
【補正方法】変更
【補正の内容】
【０００２】
【従来の技術】
一般に、衛星放送や衛星通信の電波を受信するためには、屋外にアンテナを設置し、屋内に受信機を設置する。即ち、アンテナと受信機とは離れた場所に設置されている。このような場合、アンテナの方位角及び仰角を調整する場合、アンテナの設置場所と、受信機の設置場所とにそれぞれ作業員が必要であり、両者で連絡しながらアンテナの方向を調整しなければならない。また、受信機のアンテナレベル表示機能は、所望の衛星の隣接衛星からの衛星信号にも反応する。そのため、誤って隣接衛星にアンテナを向けていないか確認するために、アンテナの方向の調整後に、必ず所望の衛星から送信されている番組を選局し、確認する必要がある。
【手続補正２】
【補正対象書類名】明細書
【補正対象項目名】０００５
【補正方法】変更
【補正の内容】
【０００５】
本発明は、このような調整の準備及び撤収作業が容易になると共に作業ミスによる伝送不良を起こさない衛星信号受信用コンバータ及び衛星信号受信用アンテナの調整装置を提供することを目的とする。
【手続補正３】
【補正対象書類名】明細書
【補正対象項目名】００２０
【補正方法】変更
【補正の内容】
【００２０】
このベースバンド映像信号Ｖとベースバンド音声信号Ａとは変調部３２に供給され、ここでＵＨＦ帯またはＶＨＦ帯のテレビジョン放送信号の周波数帯のうち所望の周波数の搬送波を変調し、変換衛星信号を生成する。この変換衛星信号は分波器２８及び同軸ケーブル２４を介して第１の出力端子１２に供給される。このように同軸ケーブル２４は、第１中間周波信号と変調遠隔制御信号と変換衛星信号とを伝送するので、これら３つの信号が伝送可能な周波数特性を持つ。
【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  複数の番組の各々に対応する番組情報データを受信する受信手段と、
前記複数の番組から視聴する番組を選択するための操作手段と、
前記操作手段により選択され、視聴された番組に係る番組情報データを記憶する記憶手段と、
前記記憶手段により記憶された番組情報データに関連する番組を前記複数の番組の中から検索する検索手段とを備えることを特徴とする情報処理装置。
【請求項２】  前記記憶手段は、所定時間以上継続して視聴された番組に係る番組情報データを記憶することを特徴とする請求項１に記載の情報処理装置。
【請求項３】  前記番組情報データは、対応する番組の番組名、チャンネル番号、番組放送日時、出演者名、及び番組の種類のうち少なくとも一つのデータを含み、
前記情報処理装置は、さらに、前記番組情報データに含まれる複数のデータの中より任意のデータを指定するための指定手段を備え、
前記検索手段は、前記指定手段により指定されたデータに対応する番組を前記複数の番組の中から検索することを特徴とする請求項１に記載の情報処理装置。
【請求項４】  前記記憶手段は、視聴された番組の重要度を前記番組情報データと対応させて記憶することを特徴とする請求項１に記載の情報処理装置。
【請求項５】  番組の視聴回数に応じて、当該番組の重要度が変更されることを特徴とする請求項４に記載の情報処理装置。
【請求項６】  番組の視聴回数が所定の回数以上になった場合に、当該番組の重要度を高くすることを特徴とする請求項５に記載の情報処理装置。
【請求項７】  前記重要度は、マニュアル操作により変更可能であることを特徴とする請求項４に記載の情報処理装置。
【請求項８】  さらに、前記検索手段により検索された番組を視聴予約若しくは録画予約する予約設定手段を備えることを特徴とする請求項１に記載の情報処理装置。
【請求項９】  予約設定手段は、前記検索手段により検索された番組のうち、前記重要度の高い番組を優先して自動的に視聴予約若しくは録画予約することを特徴とする請求項８に記載の情報処理装置。
【請求項１０】  複数の番組の各々に対応する番組情報データを受信する受信ステップと、
前記複数の番組から視聴する番組を選択するための操作ステップと、
前記操作ステップにより選択され、視聴された番組に係る番組情報データを記憶する記憶ステップと、
前記記憶ステップにより記憶された番組情報データに関連する番組を前記複数の番組の中から検索する検索ステップとを備えることを特徴とする情報処理方法。
【手続補正２】
【補正対象書類名】明細書
【補正対象項目名】００１１
【補正方法】変更
【補正の内容】
【００１１】
【課題を解決するための手段】
このような目的下において、本発明の情報処理装置においては、複数の番組の各々に対応する番組情報データを受信する受信手段と、複数の番組から視聴する番組を選択するための操作手段と、操作手段により選択され、視聴された番組に係る番組情報データを記憶する記憶手段と、記憶手段により記憶された番組情報データに関連する番組を複数の番組の中から検索する検索手段とを備えるような構成とした。
【手続補正３】
【補正対象書類名】明細書
【補正対象項目名】００１２
【補正方法】変更
【補正の内容】
【００１２】
また、本発明の情報処理方法においては、複数の番組の各々に対応する番組情報データを受信する受信ステップと、複数の番組から視聴する番組を選択するための操作ステップと、操作ステップにより選択され、視聴された番組に係る番組情報データを記憶する記憶ステップと、記憶ステップにより記憶された番組情報データに関連する番組を複数の番組の中から検索する検索ステップとを備えるような構成とした。
【手続補正４】
【補正対象書類名】明細書
【補正対象項目名】００１３
【補正方法】削除
【補正の内容】
【手続補正書】
【提出日】平成18年6月16日(2006.6.16)
【手続補正１】
【補正対象書類名】明細書
【補正対象項目名】０００４
【補正方法】変更
【補正の内容】
【０００４】
また、高温で使用される部材の接着剤として、セラミック粉末と、水ガラス、リン酸アルミニウム、シリカゾルあるいはアルミナゾルといった脱水硬化性無機バインダとを混合し、ペースト状とした無機接着剤が市販されている（例えば、東亜合成化学社製「アロンＤ」）。この無機接着剤においては、水ガラス等の脱水硬化性無機バインダが真の接着成分であり、乾燥して被接着物に接着すると共にセラミック粉末相互も接着させて一体の硬化接着層を形成する。セラミック粉末は水ガラス等の脱水硬化性無機バインダが脱水により収縮するので、その影響を小さくする機能と被接着物と接着層との熱膨張係数の差を緩和する機能を有する。
【手続補正２】
【補正対象書類名】明細書
【補正対象項目名】００１５
【補正方法】変更
【補正の内容】
【００１５】
このようなガラス粉末の溶融固化体よりなるシール層は、シール層と外枠との熱膨張係数差を緩和する成分を含んでいることが好ましく、このような熱膨張緩和材を含有させることでシール作業の際の加熱硬化処理の降温時や、耐熱エアフィルタの使用時の昇温、冷却使用中の温度変動などにより、シール層にクラックが発生することを防止することができる。
【手続補正書】
【提出日】平成18年8月21日(2006.8.21)
【手続補正１】
【補正対象書類名】明細書
【補正対象項目名】発明の名称
【補正方法】変更
【補正の内容】
【発明の名称】キーワード検索と広告を対応させたポイント装置
【手続補正２】
【補正対象書類名】明細書
【補正対象項目名】特許請求の範囲
【補正方法】変更
【補正の内容】
【特許請求の範囲】
【請求項１】 ネットワークを通じてユーザが取得したキーワードを前記ユーザと対応付けて登録する手段と、
ネットワークを通じて広告主が取得したキーワードを前記広告主と対応付けて登録する手段と、
前記ユーザと異なる他のユーザが、前記キーワード別ユーザ管理テーブルおよび前記キーワード別広告主管理テーブルにともに登録されたキーワードを用いてネットワークを通じて検索するときに、前記キーワード別広告主テーブルを参照して前記キーワードに対応する広告主を検索する広告主検索手段と、
前記検索結果とともに、前記広告主の広告を前記他のユーザに送信する手段と、
前記他のユーザが前記広告を参照するときに、前記キーワード別ユーザ管理テーブルを参照して前記キーワードに対応するユーザを検索するユーザ検索手段手段と、
前記キーワードを取得した前記ユーザに対してポイントを与える手段と、
前記ポイントを前記ユーザと関連付けて登録する手段とを有するポイント付与装置。
【請求項２】 前記キーワードの選択は無償であり、前記ユーザはネットワークサービスの利用契約を行う際に前記無償のキーワードを選択できることを特徴とする請求項１記載のポイント付与装置。
【請求項３】 前記ユーザが選択するキーワードは有償のキーワードと無償のキーワードがあり、前記他のユーザによる検索実績の低い有償キーワードを無償キーワードに変換し、前記他のユーザによる検索実績の高い無償キーワードを有償キーワードに変換することを特徴とする請求項１記載のポイント付与装置。
【請求項４】 前記広告主が選択するキーワードは有償のキーワードと無償のキーワードがあり、前記広告主は前記有償のキーワードを選択したあとでのみ、前記無償のキーワードを選択できることを特徴とする請求項１記載のポイント付与装置。
【請求項５】 ユーザがユーザ端末からネットワークを介してキーワード検索するときに、前記キーワードの検索結果とともに前記キーワードに対応付けられた広告主の広告が前記ユーザ端末に表示され、
前記ユーザが表示された前記広告を参照するときに、前記キーワードに対応付けられた他のユーザにポイントが与えられることを特徴とする請求項１記載のポイント付与装置。
【手続補正書】
【提出日】平成17年12月26日(2005.12.26)
【手続補正１】
【補正対象書類名】明細書
【補正対象項目名】請求項６
【補正方法】変更
【補正の内容】
【請求項６】
請求項１，請求項２，請求項３，請求項４又は請求項５に記載の画像処理装置；および、前記演算処理手段が処理した画像データが表す画像を用紙上に形成する画像記録装置；を備える画像形成装置。
【手続補正２】
【補正対象書類名】明細書
【補正対象項目名】０００１
【補正方法】変更
【補正の内容】
【０００１】
【発明の属する技術分野】
本発明は、デジタル的に生成された画像情報すなわち画像データを、高品質の画像を表すように処理する画像処理装置，これに電子的画像読取り器を組合せてそれが発生する画像データを高品質の画像を表すように処理する画像読取り装置、ならびに、前記画像処理装置又は画像読取り装置に画像記録装置を組み合わせて、画像処理装置が処理した画像データが表す画像を用紙上に形成する画像形成装置、に関する。これらは、例えば原稿スキャナ，ファクシミリ，イメージプリンタあるいはデジタル複写機に実施される。
【手続補正３】
【補正対象書類名】明細書
【補正対象項目名】００１９
【補正方法】変更
【補正の内容】
【００１９】
（６）上記（１），（２），（３），（４）又は（５）に記載の画像処理装置；および、前記演算処理手段(IPP)が処理した画像データが表す画像を用紙上に形成する画像記録装置(400)；を備える画像形成装置。
【手続補正４】
【補正対象書類名】明細書
【補正対象項目名】００２３
【補正方法】変更
【補正の内容】
【００２３】
（８）上記（７）に記載の画像読取り装置；および、前記演算処理手段(IPP)が処理した画像データが表す画像を用紙上に形成する画像記録装置(400)；を備える画像形成装置。これによれば、画像読取り装置で得た画像データを、高画質化用紙上にプリントアウトできる。
【手続補正書】
【提出日】平成18年1月13日(2006.1.13)
【手続補正１】
【補正対象書類名】明細書
【補正対象項目名】発明の名称
【補正方法】変更
【補正の内容】
【発明の名称】情報ディスク装置
【手続補正２】
【補正対象書類名】明細書
【補正対象項目名】特許請求の範囲
【補正方法】変更
【補正の内容】
【特許請求の範囲】
【請求項１】 ディスクをディスクトレイに搭載した状態で内蔵したカートリッジが用いられ、ディスクに対して少なくとも記録または再生の一方を行うためのピックアップと、ディスクに対して少なくとも記録または再生の一方を行うため前記ディスクトレイ全体を前記カートリッジから装置本体内に引き出し、かつ前記ピックアップが設置されている部位まで搬送する搬送機構とを備え、前記ディスクトレイの一部に弾性係止部を設け、ディスクトレイがカートリッジから引き出された状態で前記弾性係止部と着脱可能に係合する係止部を前記カートリッジに設け、さらに前記搬送機構の一部に、前記ディスクトレイが前記カートリッジから引き出された状態で前記ディスクトレイの弾性係止部を弾性変形させて、前記カートリッジの係止部との係合を解除させる解除部材を設けた情報ディスク装置において、
前記ディスクトレイが前記カートリッジに収納された状態において、前記弾性係止部が未変形状態になるように構成したことを特徴とする情報ディスク装置。
【請求項２】  前記カートリッジにおける前記弾性係止部の対向部位に空間部を設けたことを特徴とする請求項１記載の情報ディスク装置。
【請求項３】  前記カートリッジに複数枚のディスクを個別のディスクトレイに搭載し、各ディスクトレイに前記弾性係止部を設け、各ディスクトレイの各前記弾性係止部に対応させて前記空間部を前記カートリッジに設けたことを特徴とする請求項２記載の情報ディスク装置。
【請求項４】  前記ディスクトレイを前記ピックアップが設置されている部位まで搬送した状態において、前記弾性係止部が未変形状態になるように前記搬送機構における前記弾性係止部の対向部位に空間部を設けたことを特徴とする請求項２または３記載の情報ディスク装置。
【請求項５】  前記空間部として前記搬送機構の一部に嵌合部を設け、前記ディスクトレイを前記ピックアップが設置されている部位に搬送するまでにおける前記搬送機構との当接部位が、前記ディスクトレイを前記ピックアップが設置されている部位まで搬送した状態において前記嵌合部に適合することを特徴とする請求項４記載の情報ディスク装置。
【手続補正３】
【補正対象書類名】明細書
【補正対象項目名】０００１
【補正方法】変更
【補正の内容】
【０００１】
【発明の属する技術分野】
本発明は、情報記録／再生用のディスクをディスクトレイに搭載した状態で内蔵したカートリッジを用い、選択されたディスクをカートリッジから引き出すようにして、そのディスクに対して記録／再生を行う構成の情報ディスク装置に関し、特にディスクトレイの弾性係止部のクリープ防止構成に関する。
【手続補正４】
【補正対象書類名】明細書
【補正対象項目名】０００９
【補正方法】変更
【補正の内容】
【０００９】
【発明が解決しようとする課題】
本発明は、前述した特願平１１−２３２４４１号明細書に記載した情報ディスク記録／再生装置を更に改良し、弾性係止部のクリープが発生することを防止することにより、ディスクトレイの弾性係止部が経時及び環境の影響を受けずにディスクトレイがカートリッジから引き出された状態で前記弾性係止部と着脱可能に係合するカートリッジ係止部分に確実に止ることを可能にした情報ディスク装置を提供することにある。
【手続補正５】
【補正対象書類名】明細書
【補正対象項目名】００１０
【補正方法】変更
【補正の内容】
【００１０】
【課題を解決するための手段】
前記目的を達成するため、本発明は、ディスクをディスクトレイに搭載した状態で内蔵したカートリッジが用いられ、ディスクに対して少なくとも記録または再生の一方を行うためのピックアップと、ディスクに対して少なくとも記録または再生の一方を行うため前記ディスクトレイ全体を前記カートリッジから装置本体内に引き出し、かつ前記ピックアップが設置されている部位まで搬送する搬送機構とを備え、前記ディスクトレイの一部に弾性係止部を設け、ディスクトレイがカートリッジから引き出された状態で前記弾性係止部と着脱可能に係合する係止部を前記カートリッジに設け、さらに前記搬送機構の一部に、前記ディスクトレイが前記カートリッジから引き出された状態で前記ディスクトレイの弾性係止部を弾性変形させて、前記カートリッジの係止部との係合を解除させる解除部材を設けた情報ディスク装置において、前記ディスクトレイが前記カートリッジに収納された状態において、前記弾性係止部が未変形状態になるように構成したことを特徴とする。このような構成により、カートリッジ装着状態において、ディスクトレイの弾性係止部が自由な状態を保てるため、弾性応力がかからなくクリープ現象が発生せず、前記ディスクトレイが長時間カートリッジ装着にあっても、再びディスクトレイがカートリッジから引き出された際に、弾性係止部がカートリッジの係止部分に確実に係止させることができる。
【手続補正６】
【補正対象書類名】明細書
【補正対象項目名】００１６
【補正方法】変更
【補正の内容】
【００１６】
図１は本発明の実施形態を説明するための情報ディスク装置の分解斜視図であり、１はディスク２を載置するディスクトレイ、３は、一方側が開放され、内部に複数枚のディスクトレイ１が出し入れ可能に装着される箱状のカートリッジである。そして、カートリッジ３が出し入れされる挿入口４を有するフロントカバー５と、トップカバー６と、アンダーカバー７と、サイドフレーム８，９と、リアフレーム１０とにより装置本体の外装体が構成される。
【手続補正７】
【補正対象書類名】明細書
【補正対象項目名】図１
【補正方法】変更
【補正の内容】
【図１】
本発明の実施形態を説明するための情報ディスク装置の分解斜視図
【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】
外枠と、
前記外枠に対し開閉可能に取着された前面枠と、
前記前面枠に対し開閉可能に取着された扉枠とを備え、
前記前面枠には遊技領域を有する遊技盤が取着され、前記扉枠には、前記遊技盤を視認可能とする透明板が設けられた遊技機において、
前記前面枠に設けられ、少なくとも遊技者により操作されるスイッチング手段を有してなるスイッチユニットと、
前記スイッチング手段の操作に関連する制御を司る制御装置と、
前記制御装置及び前記スイッチユニットを電気的に接続する配線とを備え、
前記扉枠には、前記スイッチング手段に対応して開口部及び操作部のうち少なくとも一方を設けたことを特徴とする遊技機。
【請求項２】
前記スイッチユニットに、遊技に関連する情報を表示可能な表示部を設け、前記情報を視認可能としたことを特徴とする請求項１に記載の遊技機。
【請求項３】
前記スイッチング手段は、押圧により操作可能なスイッチ部材又は人体温度を検知可能なタッチパネルスイッチにより構成されていることを特徴とする請求項１又は２に記載の遊技機。
【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】  パチンコ球を拘束するねじ溝のリード角が進行方向に向かい次第に拡大するように形成されたリードスクリューと、該リードスクリューを回転させるパルスモータと、該リードスクリューの両側に形成された２列の球移動樋と、光軸が両球移動樋を跨って過ぎるように投光器と受光器とをそれぞれ向かい合わせに設けた球計数用センサとからなることを特徴としたパチンコ遊技機における球払出装置。
【手続補正２】
【補正対象書類名】明細書
【補正対象項目名】０００５
【補正方法】変更
【補正の内容】
【０００５】
【課題を解決するための手段】
そのために本発明のパチンコ遊技機における球払出装置は、パチンコ球を拘束するねじ溝のリード角が進行方向に向かい次第に拡大するように形成されたリードスクリューと、該リードスクリューを回転させるパルスモータと、該リードスクリューの両側に形成された２列の球移動樋と、光軸が両球移動樋を跨って過ぎるように投光器と受光器とをそれぞれ向かい合わせに設けた球計数用センサとからなることを特徴とする。
【手続補正書】
【提出日】平成18年1月12日(2006.1.12)
【手続補正１】
【補正対象書類名】明細書
【補正対象項目名】特許請求の範囲
【補正方法】変更
【補正の内容】
【特許請求の範囲】
【請求項１】
三次元仮想空間内に配置されたステージ及び複数のオブジェクトの二次元画像を生成するための仮想カメラの視線方向及び位置を決定する方法であって、
前記ステージを挟んで前記仮想カメラの反対側に基準点を設定する第１のステップと、
前記複数のオブジェクトの位置に基づいて該複数のオブジェクトの代表点を定める第２のステップと、
前記基準点及び前記代表点を含む直線上に、前記代表点から最も離れたオブジェクトまでの距離に基づいて、前記仮想カメラの位置を決定する第３のステップと、
前記基準点を向く方向に前記仮想カメラの視線方向を決定する第４のステップと、
を備える仮想カメラの視線方向及び位置の決定方法。
【請求項２】
前記第２のステップにおいては、前記代表点を、所定方向において最も離間するいずれか２つのオブジェクトの位置により定められる線分の内分点に基づいて定める、
請求項１記載の仮想カメラの視線方向及び位置の決定方法。
【請求項３】
前記第２のステップにおいては、前記代表点として、前記複数のオブジェクトの位置を頂点とする多角形の重心点を定める、
請求項１記載の仮想カメラの視線方向及び位置の決定方法。
【請求項４】
前記第２のステップにおいては、前記２つのオブジェクトに重み付けをし、前記内分点として、前記線分を該重み付けの比で分割する点を定める、
請求項２記載の仮想カメラの視線方向及び位置の決定方法。
【請求項５】
前記第２のステップにおいては、前記所定方向が、前記三次元仮想空間内に設けられた前記ステージに沿う任意の複数の方向であり、前記内分点を、該任意の複数の方向のそれぞれにおいて定める、
請求項２記載の仮想カメラの視線方向及び位置の決定方法。
【請求項６】
前記代表点が前記ステージの所定の領域に位置し、又は、所定の条件に合致するときに、前記基準点を変更するステップを備える、
請求項１記載の仮想カメラの視線方向及び位置の決定方法。
【請求項７】
前記視線ベクトルが所定の角度を超えて傾斜するときに、前記基準点の位置を変更するステップを備える、
請求項１記載の仮想カメラの視線方向及び位置の決定方法。
【請求項８】
請求項１〜７のいずれか１項に記載された仮想カメラの視線方向及び位置決定方法を実行して前記ステージ及び前記複数のオブジェクトの２次元画像を生成するように構成された、
画像処理装置。
【請求項９】
請求項１〜７のいずれか１項に記載された仮想カメラの視線方向及び位置決定方法を実行して前記ステージ及び前記複数のオブジェクトの２次元画像を含むゲーム画面が表示される、
ゲーム装置。
【請求項１０】
コンピュータに請求項１〜７のいずれか１項に記載された仮想カメラの視線方向及び位置の決定方法における各ステップを実行するためのプログラムを記録したコンピュータ読み取り可能な記録媒体。
【請求項１１】
三次元仮想空間上に配置されたステージ及び複数のオブジェクトの状態を、該三次元仮想空間内に配置された仮想視点により視点座標系に変換して疑似三次元画像としてモニタに表示する装置であって、
前記複数のオブジェクトの配置パターンに対応した代表点を定める代表点決定手段と、
前記ステージを挟んで前記視点の反対側に設定される基準点と前記代表点とを含む直線上に、前記複数のオブジェクトのうちのいずれか２つのオブジェクト間の距離であって最長であるもの、又は前記代表点といずれかのオブジェクトまでの距離であって最長であるものに基づいて、前記仮想視点の位置を決定する視点方向及び位置決定手段と、
を備える表示装置。
【手続補正書】
【提出日】平成18年1月16日(2006.1.16)
【手続補正１】
【補正対象書類名】明細書
【補正対象項目名】００１７
【補正方法】変更
【補正の内容】
【００１７】
又、第３の発明にかかる遊技機は、請求項３に記載されている様に、電動役物等の制御対象物を駆動するソレノイドへの通電・非通電を指令するための制御指令を出力する指令手段と、該指令手段から出力される制御指令に従って前記ソレノイドへの通電を制御することにより前記制御対象物を駆動する駆動手段と、前記ソレノイドの端子間電圧を検出する検出手段と、前記指令手段から出力される制御指令が前記ソレノイドへの通電を指令する通電指令であるときに、前記検出手段により検出される端子間電圧が所定の第１閾値以下であれば当該ソレノイドにおいて短絡が発生していると判断する短絡判断手段と、前記指令手段から出力される制御指令が前記ソレノイドへの非通電を指令する非通電指令であるときに、当該ソレノイドに対して前記制御対象物の動作に影響を与えない程度の微小電流を通電する微小電流通電手段と、前記指令手段から出力される制御指令が非通電指令であるときに、前記検出手段により検出される端子間電圧が所定の第２閾値以上であれば当該ソレノイドにおいて断線が発生していると判断する断線判断手段と、前記短絡判断手段又は前記断線判断手段により当該ソレノイドにおいて短絡又は断線が発生していると判断された場合にその旨を外部に報知する報知手段と、を備える遊技機において、前記指令手段から出力される制御指令を、前記制御対象物の動作に影響を与えない程度に短い所定時間だけ反転させて前記駆動手段に入力する反転手段を設け、前記指令手段から出力される制御指令が非通電指令・通電指令の何れであっても、前記ソレノイドにおいて発生した短絡・断線を検出可能に構成したことを特徴とする。即ち、本発明にかかる遊技機は、第１の発明にかかる遊技機と第２の発明にかかる遊技機とを組み合わせたものである。
【手続補正２】
【補正対象書類名】明細書
【補正対象項目名】００１９
【補正方法】変更
【補正の内容】
【００１９】
又、第１の発明，第２の発明，第３の発明にかかる遊技機において、前記反転手段は、前記指令手段から出力される制御指令を周期的に反転させて前記駆動手段に入力する様に構成されていると良い。この様に構成されている場合、この周期を可能な限り短くすれば、ソレノイドにおいて発生した断線・短絡を一層早期に検出することができる。又、指令手段の能力に合わせて周期を適宜選択すれば、指令手段の処理の負担を軽減することができる。
【手続補正書】
【提出日】平成18年1月12日(2006.1.12)
【手続補正１】
【補正対象書類名】明細書
【補正対象項目名】請求項１
【補正方法】変更
【補正の内容】
【請求項１】 遊技機を構成する各種基板や各種ＩＣチップ等の点検対象物に貼着され、自身の識別情報を外部へ送信することができる様に構成されている貼着部材と、
該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、
を備える不正交換点検装置であって、
パチンコ遊技場内において前記点検装置本体を移動させるための搬送手段を設け、当該点検装置本体を適宜移動させて前記各遊技機について前記点検対象物の点検作業を行うことができる様に構成したことを特徴とする不正交換点検装置。
【手続補正２】
【補正対象書類名】明細書
【補正対象項目名】請求項３
【補正方法】変更
【補正の内容】
【請求項３】 遊技機を構成する各種基板や各種ＩＣチップ等の点検対象物に貼着され、自身の識別情報を外部へ送信することができる様に構成されている貼着部材と、
該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、
を備える不正交換点検装置であって、
前記貼着部材は、各遊技機に複数貼着されており、
前記遊技機には、当該遊技機に貼着されている複数の貼着部材の識別情報を記憶すると共に外部へ送信する基準識別情報送信部材が設けられており、
前記識別情報受信手段は、前記遊技機に貼着されている複数の貼着部材から送信される識別情報と当該遊技機に設けられている基準識別情報送信部材から送信される識別情報とを受信し、
前記適正判断手段は、前記貼着部材から送信される識別情報と前記基準識別情報送信部材から送信される識別情報とを比較することにより、前記貼着部材から送信される識別情報が適正であるか否かを判断する
ことを特徴とする不正交換点検装置。
【手続補正３】
【補正対象書類名】明細書
【補正対象項目名】０００８
【補正方法】変更
【補正の内容】
【０００８】
【課題を解決するための手段、及び発明の効果】
第１の目的を達成するため、第１の発明にかかる不正交換点検装置は、請求項１に記載されている様に、遊技機を構成する各種基板や各種ＩＣチップ等の点検対象物に貼着され、自身の識別情報を外部へ送信することができる様に構成されている貼着部材と、該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、を備える不正交換点検装置であって、パチンコ遊技場内において前記点検装置本体を移動させるための搬送手段を設け、当該点検装置本体を適宜移動させて前記各遊技機について前記点検対象物の点検作業を行うことができる様に構成したことを特徴とする。
【手続補正４】
【補正対象書類名】明細書
【補正対象項目名】００１３
【補正方法】変更
【補正の内容】
【００１３】
この様に構成されている場合には、点検装置本体は遊技者の目に触れることがないので、遊技者の通行を妨害することや遊技者の集中力を低下させることはない。又、第２の目的を達成するため、第２の発明にかかる不正交換点検装置は、請求項３に記載されている様に、遊技機を構成する各種基板や各種ＩＣチップ等の点検対象物に貼着され、自身の識別情報を外部へ送信することができる様に構成されている貼着部材と、該貼着部材から送信される識別情報を受信する識別情報受信手段，該識別情報受信手段により受信された識別情報が適正であるか否かを判断する適正判断手段，該適正判断手段により判断された結果を外部へ出力する判断結果出力手段を有する点検装置本体と、を備える不正交換点検装置であって、前記貼着部材は、各遊技機に複数貼着されており、前記遊技機には、当該遊技機に貼着されている複数の貼着部材の識別情報を記憶すると共に外部へ送信する基準識別情報送信部材が設けられており、前記識別情報受信手段は、前記遊技機に貼着されている複数の貼着部材から送信される識別情報と当該遊技機に設けられている基準識別情報送信部材から送信される識別情報とを受信し、前記適正判断手段は、前記貼着部材から送信される識別情報と前記基準識別情報送信部材から送信される識別情報とを比較することにより、前記貼着部材から送信される識別情報が適正であるか否かを判断することを特徴とする。
【手続補正書】
【提出日】平成18年1月17日(2006.1.17)
【手続補正１】
【補正対象書類名】明細書
【補正対象項目名】発明の名称
【補正方法】変更
【補正の内容】
【発明の名称】遊技機の予告装置
【手続補正２】
【補正対象書類名】明細書
【補正対象項目名】特許請求の範囲
【補正方法】変更
【補正の内容】
【特許請求の範囲】
【請求項１】  遊技盤面に設けられたゲーム表示部に可変表示される表示状態が特定の状態になった時に入賞期待度を高める遊技機の予告装置において、
前記ゲーム表示部の表示状態が前記特定の状態となる可能性が高くなったことを報知するための特定表示予告を行う特定表示予告手段と、
前記遊技盤面を転動する遊技球の動作が所定の条件を満たしたことを検出する検出手段とを備え、
前記特定表示予告手段は、前記ゲーム表示部の表示状態が前記特定の状態となる可能性が高くなった時に特定表示予告待機状態となり、この特定表示予告待機状態の期間に前記検出手段の出力に基づいて予告条件の成否を判定して当該予告条件成立時に特定表示予告を行うことを特徴とする遊技機の予告装置。
【手続補正３】
【補正対象書類名】明細書
【補正対象項目名】０００１
【補正方法】変更
【補正の内容】
【０００１】
【発明の詳細な説明】
【発明の属する技術分野】
本発明は、遊技盤面に設けられたゲーム表示部に可変表示される表示状態が特定の状態になった時に入賞期待度を高める遊技機の予告装置に関するものである。
【手続補正４】
【補正対象書類名】明細書
【補正対象項目名】０００４
【補正方法】変更
【補正の内容】
【０００４】
本発明はこのような事情を考慮してなされたものであり、従ってその目的は、ゲーム表示部の表示状態が大当り等の特定の状態となることへの期待感を効果的に高めて、遊技の面白味を高めることができる遊技機の予告装置を提供することにある。
【手続補正５】
【補正対象書類名】明細書
【補正対象項目名】０００５
【補正方法】変更
【補正の内容】
【０００５】
【課題を解決するための手段】
上記目的を達成するために、本発明の請求項１の遊技機の予告装置は、遊技盤面に設けられたゲーム表示部に可変表示される表示状態が特定の状態になった時に入賞期待度を高めるものにおいて、ゲーム表示部の表示状態が特定の状態となる可能性が高くなったことを報知するための特定表示予告を行う特定表示予告手段を設けると共に、遊技盤面を転動する遊技球の動作が所定の条件を満たしたことを検出する検出手段を設け、前記特定表示予告手段は、ゲーム表示部の表示状態が特定の状態となる可能性が高くなった時に特定表示予告待機状態となり、この特定表示予告待機状態の期間に前記検出手段の出力に基づいて予告条件の成否を判定して当該予告条件成立時に特定表示予告を行うようにしたものである。
【手続補正６】
【補正対象書類名】明細書
【補正対象項目名】０００７
【補正方法】変更
【補正の内容】
【０００７】
この場合、遊技盤面を転動する遊技球の動作が所定の条件を満たすと、予告条件が成立するようにしたので、遊技球の発射操作が一部の入賞口や入賞装置を狙ったものばかりでなく、予告条件を満たすような発射操作も必要となり、更に、面白味が増す。
【手続補正７】
【補正対象書類名】明細書
【補正対象項目名】０００８
【補正方法】変更
【補正の内容】
【０００８】
更に、本発明では、遊技盤面を転動する遊技球の動作が所定の条件を満たしたことを検出する検出手段を設け、この検出手段の出力に基づいて予告条件の成否を判定するようにしたので、遊技球の動作が所定の条件を満たしたことを検出手段によって確実に検出することができる。
【手続補正８】
【補正対象書類名】明細書
【補正対象項目名】０００９
【補正方法】変更
【補正の内容】
【０００９】
特定表示予告手段による特定表示予告の方法は、役物の動作又は表示以外の方法であっても良く、例えば、遊技球が特定領域に入ることで予告条件が成立するものとし、その特定領域に入った遊技球を通常流路と異なる予告流路を流下させることで特定表示予告を行うようにしても良い。この場合、遊技客が、特定領域に入った遊技球の流路を見て確認することで、特定表示予告の有無を知ることができる。
【手続補正９】
【補正対象書類名】明細書
【補正対象項目名】００１０
【補正方法】変更
【補正の内容】
【００１０】
或は、遊技球が特定表示予告手段の特定部に当ることで予告条件が成立するものとし、その特定部を予告動作させることで特定表示予告を行うようにしても良い。この場合、遊技客が、遊技球が当った特定部の動きを見て確認することで、特定表示の予告の有無を知ることができる。
【手続補正１０】
【補正対象書類名】明細書
【補正対象項目名】００１１
【補正方法】変更
【補正の内容】
【００１１】
一方、特定の状態は、大当り状態又は大当りの確率が高いリーチ状態とすると良い。このようにすれば、特定表示予告手段は、遊技中に、大当り又はリーチとなる可能性が高いことを報知する大当り予告又はリーチ予告を行うため、大当りヘの期待感を効果的に高めることができる。
【手続補正１１】
【補正対象書類名】明細書
【補正対象項目名】００４０
【補正方法】削除
【補正の内容】
【手続補正１２】
【補正対象書類名】明細書
【補正対象項目名】００４３
【補正方法】変更
【補正の内容】
【００４３】
【発明の効果】
以上の説明から明らかなように、本発明の請求項１の遊技機の予告装置によれば、ゲーム表示部の表示状態が大当り等の特定の状態となる可能性が高くなっている期間に遊技状態が所定の予告条件を満たした時に、特定表示予告手段によって特定表示予告するようにしたので、特定表示予告によって特定の状態となることへの期待感を効果的に高めることができると共に、特定表示予告手段の状態にも遊技客の注意を引くことができる。しかも、特定表示予告を行う時期が遊技状態によって左右されるため、特定表示予告に対する新しい期待感も生まれ、遊技の面白味を高めることができる。
【手続補正１３】
【補正対象書類名】明細書
【補正対象項目名】００４４
【補正方法】変更
【補正の内容】
【００４４】
更に、本発明では、遊技盤面を転動する遊技球の動作が所定の条件を満たすことで予告条件が成立するようにしたので、予告条件を満たすような遊技球の発射操作が必要となり、更に、遊技の面白味を増すことができる。
【手続補正１４】
【補正対象書類名】明細書
【補正対象項目名】００４５
【補正方法】変更
【補正の内容】
【００４５】
更に、本発明では、遊技球の動作が所定の条件を満たしたことを検出する検出手段を設けたので、遊技球の動作が所定の条件を満たしたことを検出手段によって確実に検出することができる。
【手続補正１５】
【補正対象書類名】明細書
【補正対象項目名】００４６
【補正方法】削除
【補正の内容】
【手続補正１６】
【補正対象書類名】明細書
【補正対象項目名】００４７
【補正方法】削除
【補正の内容】
【手続補正１７】
【補正対象書類名】明細書
【補正対象項目名】００４８
【補正方法】削除
【補正の内容】
【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】 荷電粒子線を用いて被露光面上にパターンを描画する荷電粒子線露光装置であって、
前記荷電粒子線で被露光面上にパターンを描画するための第１、第２の制御手段と、
前記第１、第２の制御手段を各々駆動するための駆動データを時系列に記憶するための第１、第２のメモリと、
前記第１、第２の記憶手段へのそれぞれの動作を指令する動作指令を同一の時系列データ上に配して記憶し、各時系列のデータを対応する記憶手段に送る司令記憶手段とを有することを特徴とする荷電粒子線露光装置。
【請求項２】 前記第１または第２の制御手段は、前記荷電粒子線を偏向させる偏向器であることを特徴とする請求項１の荷電粒子線露光装置。
【請求項３】 前記第１または第２の制御手段は、前記荷電粒子線の照射を制御する為の照射制御手段であることを特徴とする請求項１の荷電粒子線露光装置。
【請求項４】 前記荷電粒子線は、複数のサブフィールドで構成されるストライプ内を描画し、前記被露光面上の複数のストライプを順次描画することを特徴とする請求項１の荷電粒子線露光装置。
【請求項５】 請求項１〜４の荷電粒子線露光装置を用いてデバイスを製造することを特徴とする製造方法。
【手続補正２】
【補正対象書類名】明細書
【補正対象項目名】０００７
【補正方法】変更
【補正の内容】
【０００７】
【課題を解決するための手段】
荷電粒子線露光装置であって、荷電粒子線を用いて被露光面上にパターンを描画する荷電粒子線露光装置であって、前記荷電粒子線で被露光面上にパターンを描画するための第１、第２の制御手段と、前記第１、第２の制御手段を各々駆動するための駆動データを時系列に記憶するための第１、第２のメモリと、前記第１、第２の記憶手段へのそれぞれの動作を指令する動作指令を同一の時系列データ上に配して記憶し、各時系列のデータを対応する記憶手段に送る司令記憶手段とを有することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】 
水平に配置した被処理基板の周辺から前記被処理基板の中心に向けて複数の処理ガスを独立して供給するガス供給手段を備えた基板処理装置において、
前記ガス供給手段として、ほぼ同一高さの複数のガス吹出ノズルを設けると共に、前記複数のガス吹出ノズルを前記複数の処理ガスに対応した複数のグループに分け、前記複数の処理ガスを前記各グループのガス吹出ノズルにそれぞれ独立して導く複数系統のガス通路を形成したことを特徴とする基板処理装置。
【請求項２】 前記複数のガス吹出ノズル備えたガスリングを設け、該ガスリングに前記複数系統のガス通路を形成したことを特徴とする請求項１に記載の基板処理装置。
【請求項３】 前記ガス通路の入口から導入された処理ガスを前記複数のガス吹出ノズルから均一に吹き出させるためのバッファ室を形成したことを特徴とする請求項１または２に記載の基板処理装置。
【手続補正２】
【補正対象書類名】明細書
【補正対象項目名】００１２
【補正方法】変更
【補正の内容】
【００１２】
【課題を解決するための手段】第一の発明は、水平に配置した被処理基板の周辺から前記被処理基板の中心に向けて複数の処理ガスを独立して供給するガス供給手段を備えた基板処理装置において、前記ガス供給手段として、同一高さの複数のガス吹出ノズルを設けると共に、前記複数のガス吹出ノズルを前記複数の処理ガスに対応した複数のグループに分け、前記複数の処理ガスを前記各グループのガス吹出ノズルにそれぞれ独立して導く複数系統のガス通路を形成したことを特徴とする。
【手続補正３】
【補正対象書類名】明細書
【補正対象項目名】００１４
【補正方法】変更
【補正の内容】
【００１４】
第二の発明は、前記複数のガス吹出ノズル備えたガスリングを設け、該ガスリングに前記複数系統のガス通路を形成したことを特徴とする。
【手続補正４】
【補正対象書類名】明細書
【補正対象項目名】００１６
【補正方法】変更
【補正の内容】
【００１６】
第三の発明は、前記ガス通路の入口から導入された処理ガスを前記複数のガス吹出ノズルから均一に吹き出させるためのバッファ室を形成したことを特徴とする。この場合において、バッファ室をガスリングに形成するとよい。
【手続補正書】
【提出日】平成18年1月24日(2006.1.24)
【手続補正１】
【補正対象書類名】明細書
【補正対象項目名】００５１
【補正方法】変更
【補正の内容】
【００５１】
溝部内のマイクロ波信号に基づいた誘電体板２４の支持角度判定は、誘電体板２４を含む溝部全体の特性の異変を監視でき、異常有無の判定処理ができるとともに別途専用の角度検出手段を不要にでき、コストアップおよび検出手段の信頼性保証の付加要因を解消できる。
【手続補正２】
【補正対象書類名】明細書
【補正対象項目名】００５７
【補正方法】変更
【補正の内容】
【００５７】
制御部２９は、以上の入力情報に基いて、誘電体板２４の回転駆動手段であるステッピングモータ３６を動作させて誘電体板２４を所望の支持角度にセットしたり連続回転させたりする。誘電体板２４を所望の支持角度にセットする場合は、誘電体板２４をステップ回転させて支持角度３１５°（または−４５°）の位置を検知した後、所望の支持角度に誘電体板をセットする（Ｓ１０４）。Ｓ１０５でインバータ駆動電源２９の動作を開始させマグネトロン１７からマイクロ波を発生させる。
【手続補正３】
【補正対象書類名】明細書
【補正対象項目名】００７０
【補正方法】変更
【補正の内容】
【００７０】
図９は異種材料を加熱した場合の例である。図９（ａ）はお皿にご飯を盛りその片側（図面斜線部分）にカレーをかけた場合を示す。従来装置で加熱した図９（ｃ）においては、カレーはほとんど温まってなく、ご飯はおいしいと言われる上限温度８０℃を超過した温度帯（図中黒色領域）まで加熱されている。一方、本発明の装置で加熱した図９（ｂ）においては、ご飯の温度は最高８０℃であり、カレーも約６０℃まで加熱されている。従って、加熱終了後直ちにおいしく食事をとることができる。
【手続補正４】
【補正対象書類名】明細書
【補正対象項目名】００７９
【補正方法】変更
【補正の内容】
【００７９】
誘電体板２４のみを連続回転させることで、マイクロ波空間４７内には＜３３２＞、＜３３２＞の崩れ、＜４１２＞、＜４１２＞の崩れ、および励振モード全て崩れのそれぞれを形成させることができる。これにより、図１２（ａ）に示すような加熱分布を生じさせることができる。一方、誘電体板２４の連続回転に載置皿４３の回転を重畳させると、図１２（ｂ）に示すように被加熱物の周辺部全域を加熱することができる。
【手続補正書】
【提出日】平成18年3月24日(2006.3.24)
【手続補正１】
【補正対象書類名】明細書
【補正対象項目名】０００２
【補正方法】変更
【補正の内容】
【０００２】
【従来の技術】
例えば、感熱紙タイプのプリンターにおいて、発熱抵抗を駆動するＩＣには、 図５に示すようなレイアウト構造及び図４に示すような断面構造の高耐圧ＭＯＳトランジスタ構造が用いられている。Ｐ型シリコン単結晶基板１の表面にＮ＋型ソース領域２とドレイン領域３が設けられている。高耐圧特性を得るために、ドレイン領域３に接続した低濃度ドレイン領域４をフィールド絶縁膜５の下に設けるとともに、ドレイン領域３の下にＮ−型ＷＥＬＬ領域６を設けている。また、チヤネル形成領域７のインピーダンスが、ゲート絶縁膜８を介して設けられたゲート電極９によって制御される。このような構成が高耐圧ＭＯＳトランジスタの主流であり、低濃度ドレイン領域４とチヤネル形成領域７及びＮ＋型ソース領域２の周囲には、分離用のＰ＋−領域１０が形成される。このような断面構造が主流である。
【手続補正２】
【補正対象書類名】明細書
【補正対象項目名】００１２
【補正方法】変更
【補正の内容】
【００１２】
尚、パイポーラ耐圧を向上させるために、Ｎ＋型ソース領域２に、Ｐ＋基板接地領域１８を、間隔をもって設ける。Ｎ＋−型とは、Ｎ型不純物濃度が、Ｎ＋型で示した不純物濃度に比べて低く、またＮ一型で示した不純物濃度より高い不純物濃度であることを意味し、ここでは、Ｎ型不純物濃度が、Ｎ＋型＞Ｎ＋−型＞Ｎ−型の関係で表される不純物濃度をＮ＋−型と定義する。また、Ｐ＋−型とは、Ｐ型不純物濃度が、Ｐ＋型で示した不純物濃度に比べて低い不純物濃度であることを意味し、ここでは、Ｐ型不純物濃度が、Ｐ＋型＞Ｐ＋−型の関係で表される不純物濃度をＰ＋−型と定義する。高耐圧絶縁ゲート型電界効果トタンジスタのトータル的な幅であるW長１９は、１００μｍ〜５０００μｍの間で用いられる。 図１は、フィールド絶縁膜５を分離せずに、低濃度ドレイン領域４と分離用P＋−領域１０のみを分離した断面図である。
【手続補正３】
【補正対象書類名】明細書
【補正対象項目名】００１３
【補正方法】変更
【補正の内容】
【００１３】
図２は、低濃度ドレイン領域４と分離用P＋−領域１０を分離すると同時にフィールド絶縁膜５も分離した断面図である。図３は低濃度ドレイン領域４と分離用P＋−飯域１０を分離すると同時にフィールド絶縁膜５も分離し、その分離領域に基板に接地されたゲート電極を配置した断面図である。
【手続補正４】
【補正対象書類名】明細書
【補正対象項目名】符号の説明
【補正方法】変更
【補正の内容】
【符号の説明】
１・・・P型シリコン基板
２・・・N＋型ソース領域
３・・・N＋型ドレイン領域
４・・・低濃度ドレイン領域
５・・・フィールド絶縁膜
６・・・N−型WELL領域
７・・・チャネル領域
８・・・ゲート絶縁膜
９・・・ゲート電極
１０・・分離用P＋−領域
１１・・ドレイン配線
１２・・ドレインコンタクト
１３・・ソースコンタクト
１４・・接地配線
１５・・バリア用の高融点金属
１６・・中間絶縁膜
１７・・保護膜
１８・・基板接地領域
１９・・トータルW長
【手続補正５】
【補正対象書類名】図面
【補正対象項目名】図５
【補正方法】変更
【補正の内容】
【図５】
2000277725.tif 000001